(57)【特許請求の範囲】
【請求項１】
毛をつまみ、引き抜くことによって肌から毛を除去するための脱毛装置であって、
把持部及び取付部を持つ筐体と、
シャフト、第１及び第２の端部、及び、使用中に前記シャフトの周りに回転するようにマウントされた、前記毛をつまむためのツイーザ要素の少なくとも１つの組を持つツイーザ部と、
回転運動を付与して前記シャフト周りに前記ツイーザ要素を回転させるために、前記筐体内に配置されて前記ツイーザ部と係合する駆動要素と、
を有し、
前記ツイーザ要素は、ディスクであり、前記ツイーザ部は、隣接する前記ディスクが互いに対して押された状態となることによりつまみ動作を起こすつまみ領域を有し、前記つまみ領域と前記シャフトに対して反対側の領域では、隣接する前記ディスクが開いた状態であり、
前記ツイーザ部は、前記第１の端部によって前記取付部に片持ち梁のようにマウントされ、
前記シャフトは、前記第２の端部に隣接する当接面を持つ、非回転であるシャフトであり、前記ツイーザ要素は、前記当接面と前記取付部との間の前記シャフト周りに回転し、前記つまみ領域において、前記回転の外周において前記組をなす前記ツイーザ要素と前記ツイーザ要素との間で毛をつまむように構成され、
前記取付部の内部にマウントされて、前記ツイーザ要素の前記つまみ動作を起こさせるために、前記ツイーザ部にバイアス力を与える基端ばねと、前記ツイーザ要素の前記つまみ動作を起こさせるために、前記ツイーザ要素に力を付与するように、前記当接面に対して動作する遠位ばねと、から成る群から選択された少なくとも１つを更に有する、脱毛装置。
【請求項２】
前記ツイーザ部は、ユーザによって前記取付部に取り付けられることができる一方、前記取付部から外されることができる、請求項１記載の脱毛装置。
【請求項３】
前記ツイーザ部及び前記取付部は、係合バヨネットタイプの取付具を備える、請求項２記載の脱毛装置。
【請求項４】
前記駆動要素は、前記取付部の内部にマウントされる駆動ホイールを有し、前記ツイーザ部は、前記駆動ホイールと係合するための歯を持つ、請求項１乃至３のいずれか１項に記載の脱毛装置。
【請求項５】
前記シャフトが、真っ直ぐである、請求項１記載の脱毛装置。
【請求項６】
前記当接面は、６０度から８８度の間の角度で前記シャフトに対して傾いている、請求項１又は５に記載の脱毛装置。
【請求項７】
前記ツイーザ部は、複数のディスクを有し、前記ツイーザ要素は、隣接するディスクの表面に係合することによって形成されている、請求項１乃至６のいずれか１項に記載の脱毛装置。
【請求項８】
前記ツイーザ部は、前記ツイーザ要素と前記脱毛装置の非回転部分との間の回転を促すためのベアリング要素を前記ツイーザ要素のいずれかの側に更に有する、請求項１乃至７のいずれか１項に記載の脱毛装置。
【請求項９】
前記ツイーザ部は、覆われておらず、これにより、前記ツイーザ要素は、前記ツイーザ部の全周に亘って露出している、請求項１乃至８のいずれか１項に記載の脱毛装置。
【請求項１０】
前記第２の端部から前記第１の端部に向かって、前記ツイーザ要素を覆う又は部分的に覆うガードを更に有する、請求項１乃至８のいずれか１項に記載の脱毛装置。
【請求項１１】
前記ツイーザ部は、防水である、請求項１乃至１０のいずれか１項に記載の脱毛装置。
【請求項１２】
請求項１乃至１１のいずれか１項に記載の脱毛装置と、前記ツイーザ部の除去後に、前記取付部に選択的に接続されることができる付属品と、を有する、キット。
【請求項１３】
前記付属品は、前記ツイーザ部の長さとは異なる長さを持つ代替的なツイーザ部を有する、請求項１２記載のキット。
【発明の詳細な説明】
【技術分野】
【０００１】
本発明は、脱毛装置に関し、特に、容易にアクセスされることができるとともに、身体のアクセス困難な領域に用いられることができる、改善されたツイーザ部を有する脱毛器に関する。
【背景技術】
【０００２】
不要な毛をユーザの身体の様々な領域から除去する目的で、多くの異なるタイプの脱毛装置が知られている。作用の原理は、大きく異なるが、これらの装置では、かなりの数のサブグループが、回転ツイーザ機構を用いることにより動作する。ツイーザが回転し、毛を除去する。本開示の文脈において、「ツイーザ」なる用語は、毛又は複数の毛を掴んで引き抜くために、開いて閉じることが可能な構成を示すために用いられる。
【０００３】
当該タイプの最新の１つは、Epilady（登録商標）装置であり、これは、毛を掴んで引き抜くために、コイルばねの回転を用いている。他の装置は、欧州特許第５３２１０６号明細書に開示されている。上記装置は、圧縮部材の影響下において、互いに向かって旋回可能な複数の回転ディスクを用いる。当該回転ディスクは、ディスクパッケージを形成しており、ディスクパッケージの一端において、ベアリング支持部材によって支えられるベアリングの間で回転する車軸によって支えられている。上記圧縮部材は、ベアリング支持部材の内部に配置されたローラ部材を有する。ディスクパッケージを回転させるための上記駆動機構は、上記装置のこの領域にも配置されている。
【発明の概要】
【発明が解決しようとする課題】
【０００４】
既知の装置は、ほとんどの状況において正確に作動できるが、狭い領域にアクセスするため、ベアリング支持部材の存在が不便であり得る。ベアリング支持部材は、ツイーザ機構へのアクセスを制限し、装置の全体幅を増加させる。当該構造は、ある状況では所望されるツイーザ機構周辺へのアクセスをも妨げる。また、ベアリング支持部材は、ツイーザ機構の容易な交換を許容せず、より大きな又はより小さな長さを持つツイーザ機構の使用を許容しない。従って、これらの不便さを少なくとも克服する脱毛装置を製造することは好適であろう。
【課題を解決するための手段】
【０００５】
本発明によれば、毛をつまみ、引き抜くことによって肌から毛を除去するための脱毛装置であって、把持部及び取付部を持つ筐体と、軸、第１及び第２の端部、及び、使用中に軸の周りに回転するようにマウントされた、毛をつまむためのツイーザ要素の少なくとも１つの組を持つツイーザ部と、回転運動を付与して軸周りにツイーザ要素を回転させるために、筐体内に配置されてツイーザ部と係合する駆動要素と、を有し、ツイーザ部は、第１の端部によって取付部に片持ち梁のようにマウントされる、脱毛装置が提供される。本開示の文脈において、「片持ち梁」なる用語は、ツイーザ部が、その第１の端部のみの取付部への接続によって、把持部に取り付けられていることを意味するものと解釈され得る。従って、ツイーザ部の第２の端部は、浮いていてもよい。ツイーザ部の片持ち梁構成は、特に、到達困難な領域における脱毛のため、ツイーザ要素へのより良いアクセスを許容する。当該構成の更なる利点は、ツイーザ部の全ての側面、即ち、全周に亘るアクセスが達成されるということである。多くのタイプの脱毛装置では、ツイーザ部は、手のつまみが生じるつまみ領域を規定し、ツイーザ要素が当該領域において露出することのみが必要である。それでもなお、他のタイプの装置が、全周において動作可能である、又は、把持部に関してつまみ領域が再配置されることが可能となるように調整可能である。ツイーザ部の全周へのアクセスは、ツイーザ部の掃除にも便利である。本開示の文脈において、ツイーザ部の第１及び第２の端部への言及は、軸に関するものである。ツイーザ部がその幅よりも長い必要があることを示すことは意図されていない。第１の端部は、近位端と称されることもある一方、第２の端部は、遠心端と称されることもある。
【０００６】
本発明の特に好適な実施形態によれば、ツイーザ部は、筐体から取り外し可能である。本開示の文脈において、取り外し可能とは、ツイーザ部が、ユーザによって、取付部に接続されることができる一方、取付部から取り外されることができることを示すことを意図している。このことは、好適には、他のツールを用いることなく、単純な接続機構によって達成されるべきである。好ましい実施形態では、このことは、ツイーザ部及び取付部が係合バヨネットタイプの取付具を備えている場合に達成される。それでもなお、当業者は、使用中、加わる力に対して安定的な態様でツイーザ部を支持できる程度に、クイック接続取付具の他の形式が等しく適用可能であり得ることを容易に気付くであろう。
【０００７】
好ましくは、駆動要素は、取付部の内部にマウントされる駆動ホイールを有し、ツイーザ部は、ツイーザ要素に回転運動を伝達するために、駆動ホイールと係合するための歯を持つ。上記脱毛装置は、駆動要素と係合し、駆動要素を駆動するよう動作可能に構成されるモータ及び電源を更に有していてもよい。電源は、バッテリ又は電源接続であってもよい。モータは、把持部内に配置されてもよく、トランスミッションが、駆動要素を噛み合わせるために備えられてもよい。
【０００８】
本発明に従った動作及び構成の原理は、片持ち梁のように一端から支持され得るツイーザ部の全ての形式に適用可能である。特に好適な実施形態では、上記装置は、取付部の内部にマウントされて、ツイーザ要素のつまみ動作を起こさせるために、ツイーザ部にバイアス力を与える基端ばねを有する。バイアス力は、好ましくは、ツイーザ部の軸から離れた位置に印加されてもよい。この偏心したバイアス力は、毛をつまむ上記のようなつまみ領域の位置を定めることができる。上記基端ばねは、板ばね、コイルばね、又は、弾性材料であってもよく、例えば、バヨネット接続にバイアス力を供給するなど、取付機構の一部を形成していてもよい。
【０００９】
ツイーザ部は、好ましくは、ツイーザ要素がマウントされるシャフトを有する。ある実施形態では、当該シャフトは、非回転であり、ツイーザ部の第２の端部に隣接する当接面を持つ。ツイーザ要素は、当接面と取付部との間のシャフト周りに回転するように構成されてもよい。他の当接面が、取付部の表面によって、又は、ツイーザ部の一部を形成する非回転ワッシャによって、ツイーザ部の第１の端部に隣接して設けられてもよい。
【００１０】
本発明は、シャフトが真っ直ぐ又は曲がっている装置にも適用可能である。曲がっているシャフトの場合、つまみ領域は、通常、シャフトの凹状方向によって規定される。好ましい実施形態では、シャフトは、真っ直ぐであり、つまみ領域は、シャフトとは独立して、例えば、偏心したバイアス力の適用点によって、規定され得る。追加的、又は、代替的に、つまみ領域の位置は、当接面の位置によって規定され得る。かかる実施形態では、当接面は、つまみ領域を規定するために、好ましくは、６０度乃至８８度の間の角度で、シャフトに対して角度付けられていてもよい。
【００１１】
他の代替的な実施形態によれば、上記装置は、ツイーザ要素のつまみ動作を生じさせるべくツイーザ要素に力を付与するため、ツイーザ部の第２の端部における当接面に対して作用する遠位ばねを有していてもよい。従って、当業者は、ツイーザ要素上のバイアスは、ツイーザ部の第１の端部における基端ばねによって、又は、ツイーザ部の第２の端部における遠位ばねによって、又は、両方の組み合わせによって、もたらされることができることを理解する。
【００１２】
更に他の好ましい実施形態では、ツイーザ部は、複数のディスクを有し、ツイーザ要素は、隣接するディスクの表面を噛み合わせることによって形成される。ディスクは、好ましくは、固く、金属又はセラミック材料で形成されてもよい。あるいは、弾力性のあるディスク構造が考えられ得る。当該ディスクは、互いに対して、個別に回転可能であってもよく、又は、単一体として一緒に回転してもよい。当業者は、採用され得る様々なディスク構造、並びに、関連する利点及び利益に容易に気付くであろう。ツイーザ部の第１及び最後のディスクは、ベアリング板で一体的に形成されてもよい。これは、ボールベアリングがベアリング機能を供給するために転がることができるベアリングレースの形であってもよい。
【００１３】
好ましい更に他の実施形態では、ツイーザ部は、ツイーザ要素と装置の非回転部分との間に回転作用を与えるため、ツイーザ要素の一方の側にベアリング要素を有する。ある実施形態では、ツイーザ部は、ベアリングケージによって支持されるボールベアリングなどを備えていてもよい。ボールベアリングは、取付部の当接面又は表面とツイーザ部上のベアリング板との間を転がるため、ケージによって支持されてもよい。
【００１４】
上述のように、本発明の一態様によれば、ツイーザ部は、覆われていなくてもよく、これにより、ツイーザ要素は、ツイーザ部の全周に亘って露出している。この構成の利点は、付属品が、第２の端部から第１の端部へ向かってツイーザ部の上に置かれることができるということである。かかる付属品は、例えば、つまみ領域又はビキニ領域において適用される繊細なキャップの周りにおいて、ツイーザ要素を覆う又は部分的に覆うガード又はフォイルなどの付属スリーブの形式であってもよい。
【００１５】
本発明は、ツイーザ部の取り外し後、取付部に選択的に接続されることができる１又は複数の他の付属品と組み合わせられる上記のような脱毛装置にも関する。かかる付属品は、ツイーザ部の長さとは異なる長さを持つ、あるいは、形状又は機能が異なる、他のツイーザ部又は代替的なツイーザ部を有していてもよい。
【００１６】
好ましくは、上記脱毛装置は、防水又は少なくとも耐水である。最も好適には、例えば、筐体から分離して洗浄可能であるように、ツイーザ部は防水である。
【図面の簡単な説明】
【００１７】
本発明の特徴及び利点が、複数の例示的な実施例を示す添付の図面を参照して明らかとなるであろう。
【図１】図１は、本発明の第１の実施形態に従った脱毛装置の前面図を示している。
【図２】図２は、図１の脱毛装置の垂直断面図を示している。
【図３】図３は、ツイーザ部が取り外された図２の装置を示している。
【図４】図４は、本発明の第２の実施形態の部分的な垂直断面図を示している。
【図５】図５は、本発明の第３の実施形態の部分的な垂直断面図を示している。
【図６】図６は、本発明の第４の実施形態の部分的な垂直断面図を示している。
【図７】図７は、本発明の第５の実施形態に従った脱毛装置の透視図を示している。
【図８】図８は、図７の脱毛装置の垂直断面図を示している。
【図９】図９は、本発明の第６の実施形態の部分的な垂直断面図を示している。
【発明を実施するための形態】
【００１８】
図１は、本発明の第１の実施形態に従った脱毛装置１の前面図を示している。当該脱毛装置１は、把持部１２及び取付部１４を持つ筐体１０を有する。第１の端部１８及び第２の端部２０を持つツイーザ部１６は、第１の端部１８によって、取付部１４にマウントされている。上記脱毛装置１は、アクチュエータスイッチ４と、外部電源への接続６とを更に有する。
【００１９】
図２は、ツイーザ部１６の構造をより詳細に図示している図１の脱毛装置１の断面図を示している。図２から分かるように、ツイーザ部１６は、第１の端部１８におけるバヨネット取付具２４を支持する曲線状シャフト２２を有する。ツイーザ部１６の第２の端部２０では、シャフト２２は、当接面２８を備える。バヨネット取付具２４は、取付部１４における対応するバヨネット取付具２６と係合する。複数のディスク３０ａ〜３０ｆがシャフト２２上にマウントされている。ディスク３０は、シャフト２２に対して回転することができ、その外周においてツイーザ要素３２を形成することができる。ディスク３０は、一緒に回転するために互いに係合しており、一般的に、国際公開第２００６／１１７７５５号に記載されているようであってもよく、その開示内容が、参照により本明細書に組み込まれる。第１のディスク３０ａ及び最後のディスク３０ｆにそれぞれ係合しているディスクパッケージ３０ａ〜３０ｆの端部において、ベアリング要素３４が設けられる。ツイーザ部１６の第２の端部における当該ベアリング要素３４は、非回転当接面２８と係合する。ツイーザ部１６の第１の端部において、ベアリング要素３４は、ばねワッシャ３６に対して係合する。
【００２０】
歯３８が、第１のディスク３０ａに接続されている。歯３８は、取付部１４内部の駆動ホイール４０と係合している。駆動ホイール４０は、トランスミッション４２を介して、電気モータ４４に動作可能に接続されている。
【００２１】
図３は、図２と類似しているが、ツイーザ部１６が取り外された脱毛装置１の図を示している。シャフト２２上のバヨネット取付具２４と、取付部１４における対応するバヨネット取付具２６とが、より明確に分かるようになっており、ばねワッシャ３６が見える。
【００２２】
使用中、図１〜図３の上記装置は、モータ４４及びトランスミッション４２による駆動ホイール４０の回転によって動作する。当該回転は、歯３８を介して、シャフト２２周りの回転において残りのディスク３０ｂ〜３０ｆを引っ張る第１のディスク３０ａに伝達される。シャフト２２がカーブしているため、また、ばねワッシャ３６のバイアス力のために、ディスク３０は、カーブしたシャフト２２の凹部側に配置されたつまみ領域５０において、より密接に互いに対して押されている。当該つまみ領域５０において、隣接するディスク３０のツイーザ要素３２は合わさって、処理される肌の手をつまむ。さらに、ディスク３０が回転するので、毛は、ツイーザ要素３２が開くにつれて、引き抜かれる。つまむ力を与えるのに加え、ばねワッシャ３６は、相互の係合において、バヨネット取付具２４，２６を維持するためにも作用する。
【００２３】
図４は、本発明の第２の実施形態に従った脱毛装置１０１を示しており、同様の符号に１００が付いた符号が、第１の実施形態に対応する要素のために用いられている。
【００２４】
図４によれば、脱毛装置１０１は、複数のディスク１３０ａ〜１３０ｆが搭載されたシャフト１２２を持ったツイーザ部１１６を有している。第１の実施形態とは違って、シャフト１２２は、まっすぐであり、シャフト１２２に対して約８０度傾けられた第２の端部１２０における当接面１２８を支持している。第１の端部１１８では、ツイーザ部１１６が、近位ばね部材１３６によって係合している。近位ばね部材１３６は、非回転ワッシャ１３７を介し、ベアリング１３４に対して作用する。当該ワッシャ１３７も、シャフト１２２に対して約８０度の角度で、近位ばね部材１３６によって角度付けられている。図４に従った上記装置１０１の動作は、本質的には、第１の実施形態の動作と同じである。当接面１２８及びワッシャ１３７の角度付けられた配置は、つまみ領域１５０において、ディスク１３０をまとめる。当該構成の主な利点は、ツイーザ部１１６の第２の端部１２０ぎりぎりの所まで狭い空間内でのアクセスを許容するアクティブなつまみ領域１５０が形成されることである。まっすぐな軸構成は、限られた数のディスク１３０を有する比較的短いツイーザ部にとって適切であろう。
【００２５】
図５は、本発明の第３の実施形態に従った脱毛装置２０１を示しており、同様の符号に２００が付いた符号が、第１の実施形態に対応する要素のために用いられている。
【００２６】
図５によれば、脱毛装置２０１は、複数のディスク２３０ａ〜２３０ｆが搭載されたシャフト２２２を持ったツイーザ部２１６を有している。第２の実施形態と同様、シャフト２２２はまっすぐであるが、第２の実施形態とは違って、第２の端部２２０における当接面２２８は、シャフト２２２に対して垂直である。近位ばねワッシャ２３６が、ツイーザ部２１６の第１の端部２１８に備えられ、遠位ばねワッシャ２５２が、当接面２２８とベアリング２３４との間の第２の端部２２０に備えられている。図５に従った上記装置２０１の動作は、第１及び第２の実施形態の動作と本質的には同じである。しかしながら、この場合では、近位ばねワッシャ２３６及び遠位ばねワッシャ２５２が、両側からツイーザ部２１６のディスク２３０上でのバランスのとれた力を保証している。かかる構成は、より多くの数のディスクを有する長いツイーザ部２１６の場合に好適であろう。欠点は、遠位ばねワッシャ２５２が、第２の端部２２０において増大した空間を占め、狭い空間へのアクセスを幾分不便にすることである。
【００２７】
図６は、本発明の第４の実施形態に従った脱毛装置３０１を示しており、同様の符号に３００が付いた符号が、第１の実施形態に対応する要素のために用いられている。
【００２８】
図６によれば、脱毛装置３０１は、複数のディスク３３０ａ〜３３０ｆが搭載されたシャフト３２２を持ったツイーザ部３１６を有している。第２及び第３の実施形態と同様、シャフト３２２はまっすぐである。第２の端部３２０における当接面３２８は、シャフト３２２に対して垂直である。遠位ばねワッシャ３５２は、当接面３２８とベアリング３３４との間に備えられている。第３の実施形態とは違って、ツイーザ部３１６の第１の端部３１８には、ばねが備えられていない。従って、第１のディスク３３０ａは、シャフト３２２に対して垂直であってもよく、回転可能である必要はない。第１のディスク３３０ａの角度が固定されているため、第１のディスク３３０ａは、歯３３８と一体化されていてもよい。
【００２９】
本発明の第５の実施形態に従った脱毛装置４０１が図７において透視図で示されており、同様の符号に４００が付いた符号が、第１の実施形態に対応する要素のために用いられている。
【００３０】
当該実施形態によれば、ツイーザ部４１６は、取付部４１４及びツイーザ筐体４５４上のバヨネット接続４２４，４２６によって取付部４１４と係合するツイーザ筐体４５４を有している。ツイーザ筐体４５４は、つまみ領域４５０へのアクセスを与える開口４５６を規定している。歯４３８が、取付部内に配置された駆動ホイール４４０と係合するために、ツイーザ筐体４５４から延びている。
【００３１】
図８は、図７の脱毛装置４０１を部分的な断面で示している。第５の実施形態に従った上記装置は、シャフト４２２が取付部４１４とツイーザ部４１６の第２の端部における当接面４２８との間に接続を与えないことを除いて、第４の実施形態の上記装置と実質的に類似している。第５の実施形態によれば、ツイーザ部４１６のディスク４３０Ａ〜４３０Ｇに対して与えられるバイアス力は、ツイーザ筐体４５４内部をツイーザ筐体４５４の開口４５６の側とは反対側において長手方向に延びる背骨部４５８を通じて、当接面４２８に伝達される。この背骨部４５８は、当接面４２８と一体的に形成される遠位ばね４５２と一体化され、バイアス力Ｂをディスク４３０に与える。背骨部４５８、遠位ばね４５２、及び、当接面４２８は、例えば、板形状の金属片を曲げることによって、単一のばね材料から一体的に形成されてもよい。
【００３２】
上記実施形態は、ディスクベースの脱毛システムについて開示されてきたが、本発明の原理は、代替的な脱毛要素に対して等しく適用可能である。図９は、ロッドベースのツイーザシステムと動作する本発明の第６の実施形態に従った脱毛装置５０１を通じた断面図を示している。当該実施形態では、第１及び第２の実施形態と類似の特徴は、５００が付いた同様の参照符号によって示されている。
【００３３】
図９によれば、ツイーザ部５１６は、歯５３８の動作のにより、シャフト５２２周りに一緒に回転するように構成された内部胴体５６０及び外部胴体５６２を有している。作動ロッド５６４が、内部胴体５６０内のチャネル５６６を通じて延びており、最も外側において、カム表面５６８を有している。カム表面５６８が、当接面５２８及び近位ばねワッシャ５５２とそれぞれ係合するように、チャネル５６６内の戻しばね５７０が、ロッド５６４に外側方向のバイアスをかけている。外側胴体５６２は、３つのセクション５６２ａ，５６２ｂ，５６２ｃで形成されている。当業者は、更なるセクションが備えられてもよいことを理解するであろう。セクション５６２ａ及び５６２ｃは、外周において、固定されたツイーザ要素５７２を有する。回転可能なツイーザ要素５７４が、隣接するセクション５６２ａ，５６２ｂ，５６２ｃの間に保持され、固定されたツイーザ要素５７２と係合可能となっている。回転可能なツイーザ要素５７４は、ロッド５６４において形成されたノッチ５７８と係合する内端５７６を有する。
【００３４】
図９の実施形態に従ったツイーザ部５１６は、欧州特許出願公開第２００８５４３明細書で説明されているように一般的であり、そこで記載されているように動作し得る。欧州特許出願公開第２００８５４３明細書の開示内容は、参照により本明細書に組み込まれる。従って、脱毛装置５０１の動作中、歯５３８が、シャフト５２２周りの内部胴体５６０の回転を発生させる。内部胴体５６０が回転するため、カム表面５６８は、つまみ領域５５０に近づくように、内側方向のバイアスをかけられる。当該バイアスは、作動ロッド５６４の内側への脱離を発生させ、当該運動は、内端５７６のノッチ５７８への係合によって、回転可能なツイーザ要素５７４へ伝達される。従って、回転可能なツイーザ要素５７４は、固定されたツイーザ要素５７２と係合し、毛をつまみ、さらに、ツイーザ部５１６が回転するため、毛を引き抜く。
【００３５】
上述のように、本発明は、特定の実施形態を参照して説明されてきた。これらの実施形態は、当該技術分野における当業者にとって良く知られるような、様々な修正形式及び代替形式を受け入れる余地があることが理解されるであろう。特に、ツイーザ部の構造は、概略的に図示された設計とは異なっていてもよい。
【００３６】
上述の修正に加えて多くの修正が、本発明の概念及び範囲から逸脱することなく、上記の構造及び技術に対してなされてもよい。従って、特定の実施形態が説明されてきたが、これらは例示でしかなく、本発明の範囲を限定するものではない。
【図１】
0006444306.tif 000002
【図２】
0006444306.tif 000003
【図３】
0006444306.tif 000004
【図４】
0006444306.tif 000005
【図５】
0006444306.tif 000006
【図６】
0006444306.tif 000007
【図７】
0006444306.tif 000008
【図８】
0006444306.tif 000009
【図９】
0006444306.tif 000010